(57)【要約】      （修正有）【課題】乗用田植機に搭載される電動モータ駆動の米ぬか散布機について、スイッチの入れ忘れ、切り忘れ、米ぬかの過剰散布等を防止する。【解決手段】電動モータとバッテリーの間の配線に、田植機のオペレーターが手動でオン−オフするメインスイッチ、乗用田植機の植付クラッチレバー８をクラッチレンジ１４で入り１４ｂ側にシフトさせたときオンとなる植付クラッチレバースイッチ、及び無段変速機（ＨＳＴ）のＨＳＴレバー９を前進レンジ１７で一定以上高速側にシフトさせたときオンとなるＨＳＴレバースイッチが直列に配置されている。前記３つのスイッチが全てオンとなったとき電動モータとバッテリーが接続され、電動モータが作動して米ぬかの散布が行われる。【選択図】図２
2013243955.tif 000002
【特許請求の範囲】
【請求項１】
作業部の昇降及び作業クラッチの入り切りを操作する作業クラッチレバーと無段変速装置を操作する変速レバーを備える乗用農作業機に搭載され、米ぬかを収容するホッパー状のタンクと、前記タンク下部で回転し前記タンク内の米ぬかを繰り出す繰出ロータと、前記繰出ロータを回転させる電動モータと、前記電動モータを作動させるバッテリーを備える米ぬか散布機において、前記電動モータとバッテリーの接続をオン−オフする手動のメインスイッチと、前記作業クラッチレバーを入り側にシフトさせたときオンとなる作業クラッチレバースイッチと、前記変速レバーを前進レンジで一定以上高速側にシフトさせたときオンとなる変速レバースイッチを備え、前記３つのスイッチが全てオンとなったとき前記電動モータが作動することを特徴とする米ぬか散布機。
【請求項２】
作業部の昇降及び作業クラッチの入り切りを操作する作業クラッチレバーと無段変速装置を操作する変速レバーを備える乗用農作業機に搭載され、米ぬかを収容するホッパー状のタンクと、前記タンク下部で回転し前記タンク内の米ぬかを繰り出す繰出ロータと、前記繰出ロータを回転させる電動モータと、前記電動モータを作動させるバッテリーを備える米ぬか散布機において、前記電動モータとバッテリーの接続をオン−オフする手動のメインスイッチと、前記作業クラッチレバーを下降側にシフトさせたときオンとなる作業クラッチレバースイッチと、前記変速レバーを前進レンジで一定以上高速側にシフトさせたときオンとなる変速レバースイッチを備え、前記３つのスイッチが全てオンとなったとき前記電動モータが作動することを特徴とする米ぬか散布機。
【請求項３】
前記乗用農作業機が乗用田植機であり、前記作業部が植付部であり、前記作業クラッチが植付クラッチであり、前記作業クラッチレバーが植付クラッチレバーであり、前記作業クラッチレバースイッチが植付クラッチレバースイッチであることを特徴とする請求項１又は２に記載された米ぬか散布機。
【請求項４】
作業部の昇降を操作する昇降レバーと無段変速装置を操作する変速レバーを備える乗用農作業機に搭載され、米ぬかを収容するホッパー状のタンクと、前記タンク下部で回転し前記タンク内の米ぬかを繰り出す繰出ロータと、前記繰出ロータを回転させる電動モータと、前記電動モータを作動させるバッテリーを備える米ぬか散布機において、前記電動モータとバッテリーの接続をオン−オフする手動のメインスイッチと、前記昇降レバーを下降側にシフトさせたときオンとなる昇降レバースイッチと、前記変速レバーを前進レンジで一定以上高速側にシフトさせたときオンとなる変速レバースイッチを備え、前記３つのスイッチが全てオンとなったとき前記電動モータが作動することを特徴とする米ぬか散布機。
【請求項５】
前記バッテリーが前記乗用農作業機に搭載されたバッテリーであることを特徴とする請求項１〜４のいずれかに記載された米ぬか散布機。
【発明の詳細な説明】
【技術分野】
【０００１】
本発明は、田植機や除草機等の乗用農作業機に搭載される米ぬか散布機に関する。
【背景技術】
【０００２】
特許文献１に記載されているように、水田に除草機を走行させ雑草を水中に浮遊させると同時に米ぬかを散布し、水田の土壌表面に米ぬかの層を形成することにより、浮遊した雑草が沈下して土壌に再び活着するのを防止する除草方法が知られている。また、田植えと同時又は直後に水田に米ぬかを散布し、雑草の発生を抑制することも知られている。
【０００３】
特許文献１に記載された米ぬか散布機は、除草機を設置したトラクタに搭載されるもので、米ぬかを収容するホッパー状のタンクと、タンク下部で回転しタンク内の米ぬかを繰り出す繰出ロータと、前記繰出ロータを回転させる電動モータからなる。特許文献１には明確に記載されていないが、電動モータを作動させるバッテリーは、トラクタ自体が搭載するバッテリーを利用するものと考えられる。
また、特許文献２には、米ぬかの散布に利用できる粉粒体散布機が記載されている。この粉粒体散布機も、特許文献１のものと同様にトラクタに搭載されるもので、ホッパー状のタンクと、繰出ロータと、繰出ロータを回転させる電動モータを備える。特許文献２には明確に記載されていないが、電動モータを作動させるバッテリーは、トラクタ自体が搭載するバッテリーを利用するものと考えられる。  
【先行技術文献】
【特許文献】
【０００４】
【特許文献１】特開２００４−１８０６２８号公報
【特許文献２】特許第３５８６２３２号公報
【発明の概要】
【発明が解決しようとする課題】
【０００５】
特許文献１，２に記載された散布機は、繰出ロータを回転させる動力をトラクタのＰＴＯ軸からではなく電動モータからとっている。このため、オペレーターが操作パネル上に配置された手元スイッチをオン−オフ操作することで、散布開始−停止（電動モータの作動−停止）を行うようになっていて、散布機による散布とトラクタの走行は関係付けられていない。
米ぬか等の散布作業にあたっては、通常、水田の一方の畦際で手元スイッチをオンにして散布作業を開始し、トラクタが他方の畦際に達したとき手元スイッチをオフにして散布作業を停止する。１枚の水田全体に米ぬか等を散布するには、このオン−オフ操作を何度も繰り返す必要があるが、これはオペレーターにとって面倒な作業であり、かつスイッチの入れ忘れ、切り忘れが多発する。スイッチを入れ忘れた箇所では米ぬかが散布されず除草又は抑草が不十分となる。また、他方の畦際に達してトラクタの速度を緩め又は停止させ、あるいはトラクタを旋回させるときなどにスイッチを切り忘れると、その箇所で単位面積当たりの散布量が過剰となり、苗が枯れることがある。
【０００６】
本発明は、電動モータで繰出ロータを回転させる従来の米ぬか散布機において生じるこのような問題点に鑑みてなされたもので、トラクター等の乗用農作業機のオペレーターが水田での作業中に何度も散布機（電動モータ）のスイッチのオン−オフ操作を行わなくても、最初にメインスイッチをオンにしておけば、あとは自動的に電動モータの作動−停止操作が行われるようにし、これによりスイッチの入れ忘れ、切り忘れ、米ぬかの過剰散布等が防止できるようにすることを目的とする。
【課題を解決するための手段】
【０００７】
本発明（請求項１）は、作業部の昇降及び作業クラッチの入り切りを操作する作業クラッチレバーと無段変速装置を操作する変速レバーを備える乗用農作業機に搭載され、米ぬかを収容するホッパー状のタンクと、前記タンク下部で回転し前記タンク内の米ぬかを繰り出す繰出ロータと、前記繰出ロータを回転させる電動モータと、前記電動モータを作動させるバッテリーを備える米ぬか散布機において、前記電動モータとバッテリーの接続をオン−オフする手動のメインスイッチと、前記作業クラッチレバーを入り側にシフトさせたときオンとなる作業クラッチレバースイッチと、前記変速レバーを前進レンジで一定以上高速側にシフトさせたときオンとなる変速レバースイッチを備え、前記３つのスイッチが全てオンとなったとき前記電動モータが作動することを特徴とする。なお、作業クラッチレバースイッチが、前記作業クラッチレバーを下降側にシフトさせたときオンとなるように設定することもできる（請求項２）。
ここでいう乗用農作業機は例えば周知の乗用田植機である。乗用田植機の場合、作業部は植付部であり、作業クラッチは植付クラッチであり、作業クラッチレバーは植付クラッチレバーである。そして、作業クラッチレバースイッチは植付クラッチレバースイッチということになる。
【０００８】
また、本発明（請求項４）は、作業部の昇降を操作する昇降レバーと無段変速装置を操作する変速レバーを備える乗用農作業機に搭載され、米ぬかを収容するホッパー状のタンクと、前記タンク下部で回転し前記タンク内の米ぬかを繰り出す繰出ロータと、前記繰出ロータを回転させる電動モータと、前記電動モータを作動させるバッテリーを備える米ぬか散布機において、前記電動モータとバッテリーの接続をオン−オフする手動のメインスイッチと、前記昇降レバーを下降側にシフトさせたときオンとなる昇降レバースイッチと、前記変速レバーを前進レンジで一定以上高速側にシフトさせたときオンとなる変速レバースイッチを備え、前記３つのスイッチが全てオンとなったとき前記電動モータが作動することを特徴とする。
ここでいう乗用農作業機は例えば周知の乗用除草機（特開２００６−３４０６５２号公報、特開２００５−１８５１１３号公報等参照）であり、作業部（除草部）の昇降のみを行う昇降レバーを備える。
【０００９】
なお、以上述べた米ぬか散布機のバッテリーとして、乗用農作業機が元々備えるバッテリーを利用できる。あるいは、米ぬか散布機専用のバッテリーを設置することもできる。
【発明の効果】
【００１０】
本発明によれば、乗用農作業機のオペレーターが水田での農作業中に、何度も米ぬか散布機の電動モータのスイッチのオン−オフ操作を行わなくても、最初にメインスイッチをオンにしておけば、あとは自動的に電動モータの作動−停止操作が行われる。このため、従来生じていたスイッチの入れ忘れ、切り忘れが防止され、かつ変速レバースイッチが変速レバーを前進レンジで一定以上高速側にシフトさせたときオンとなるように設定したことで、米ぬかの過剰散布を防止することもできる。
【図面の簡単な説明】
【００１１】
【図１】本発明に係る乗用農作業機（乗用田植機）の側面図である。
【図２】乗用農作業機（乗用田植機）における植付クラッチレバーとそのガイド溝（ａ）、変速レバーとそのガイド溝（ｂ）の平面図である。
【図３】バッテリーと電動モータの間の配線図である。
【図４】乗用農作業機（乗用除草機）における昇降レバーとそのガイド溝（ａ）、変速レバーとそのガイド溝（ｂ）の平面図である。
【発明を実施するための形態】
【００１２】
まず、図１〜３を参照して、本発明に係る米ぬか散布機について具体的に説明する。
米ぬか散布機１は、それ自体周知（後輪ホイールキャップを除く）の乗用田植機２に搭載されている。乗用田植機２は、前輪３及び後輪４を有する本体部５と、前後輪の間に設置された植付部６を備えるミッドマウント型乗用田植機である。ハンドル７、各種レバー（植付クラッチレバー８、ＨＳＴ（無段変速装置の一種）レバー９等）、オペレーターの座席１０、及び操作パネル等が設置された操作部１１は、植付部６の後方に配置されている。植付部６の動力はＰＴＯ軸からとっている。
【００１３】
植付クラッチレバー８は、図２（ａ）に示すように、ガイド溝１２の昇降レンジ１３内を「上昇１３ａ」側、「中立１３ｂ」側及び「下降１３ｃ」側に前後方向にシフトし、かつクラッチレンジ１４内を「切り１４ａ」側又は「入り１４ｂ」側に前後方向にシフトさせ得るようになっている。植付クラッチレバー８を「中立１３ｂ」側から「下降１３ｃ」側に移行させる際は、植付クラッチレバー８を図２（ａ）において左側に倒して前に押す。昇降レンジ１３とクラッチレンジ１４は連続し、昇降レンジ１３内の「下降１３ｃ」側と、クラッチレンジ１４内の「切り１４ａ」側は概略同じシフト位置である。図２（ａ）において、植付クラッチレバー８は昇降レンジ１３内の「中立１３ｂ」側に位置している。なお、植付クラッチレバー８を「入り１４ｂ」側において左又は右に倒すと、水田面にすじを付けるマーカーが乗用田植機２の左又は右に倒れる。
植付クラッチレバー８が昇降レンジ１３内の「中立１３ｂ」に位置するとき、植付部６は油圧ポンプの圧力に応じた高さに維持され、植付クラッチレバー８を「上昇１３ａ」側にシフトさせると植付部６が上昇し、「下降１３ｃ」側にシフトさせると植付部６が下降する。植付クラッチレバー８を昇降レンジ１３からクラッチレンジ１４へ移行させ、「入り１４ｂ」側にシフトすると、植付部６が下降した状態で植付クラッチが入る。
【００１４】
一方、ＨＳＴレバー９は、図２（ｂ）に示すように、ガイド溝１５の後進レンジ１６内又は前進レンジ１７内をいずれも前後方向にシフトさせ得るようになっている。後進レンジ１６と前進レンジ１７の間に中立レンジ１８があり、この中立レンジ１８においてＨＳＴレバー９を左右どちらかに倒すことで、後進レンジ１６又は前進レンジ１７に移行することができる。図２（ｂ）において、ＨＳＴレバー９は、後進レンジ１６の端の中立レンジ１８内に位置している。後進レンジ１６又は前進レンジ１７内で、ＨＳＴレバー９のシフト位置が中立レンジ１８側から離れるほど、乗用田植機２の後進速度又は前進速度が上昇する。
【００１５】
米ぬか散布機１は、機枠１９を介して乗用田植機２に搭載され、特許文献１，２に記載されたものと同じく、米ぬかを収容するホッパー状のタンク２１と、タンク２１下部で回転しタンク２１内の米ぬかを繰り出す繰出ロータ（ロータ軸２２のみ示す）と、前記繰出ロータを回転させる電動モータ２３と、電動モータ２３を作動させるバッテリー２４（図３参照）を備える。バッテリー２４として、乗用田植機２が元々備えるバッテリーを利用してもよいし、米ぬか散布に専用のバッテリーを設置することもできる。
【００１６】
図３に、バッテリー２４と電動モータ２３の間の配線図を示す。バッテリー２４と電動モータ２３の間にメインスイッチ２５、植付クラッチレバースイッチ２６、ＨＳＴレバースイッチ２７、及びリレー装置２８が直列に配置されている。メインスイッチ２５は手動でオン−オフ操作を行うスイッチであり、例えば前記操作パネル又はその近傍に配置され、例えば乗用田植機２を水田に乗り入れた後、適宜の時点でオペレーターがオンとすればよい。
【００１７】
図２（ａ）を参照すると、植付クラッチレバースイッチ２６は、植付クラッチレバー８をクラッチレンジ１４の「切り１４ａ」側から「入り１４ｂ」側にシフトさせたときオンとなり、「入り１４ｂ」側から「切り１４ａ」側にシフトさせたときオフとなる。より詳しくは、植付クラッチレバー８を「切り１４ａ」側から「入り１４ｂ」側にシフトさせるとき、植付クラッチレバー８が「入り１４ｂ」側の領域Ａ（両矢印で示す）に達すると、植付クラッチレバースイッチ２６がオンとなる。逆に、植付クラッチレバー８を「入り１４ｂ」側から「切り１４ａ」側にシフトさせるとき、植付クラッチレバー８が前記領域Ａから出ると植付クラッチレバースイッチ２６がオフとなる。このように、植付クラッチレバースイッチ２６のオン−オフは、植付クラッチレバー８をクラッチレンジ１４内で「切り１４ａ」側と「入り１４ｂ」側の間でシフトさせることに伴い、自動的に行われる。
【００１８】
ＨＳＴレバースイッチ２７は、ＨＳＴレバー９を前進レンジ１７内で一定以上高速側にシフトさせたときオンとなり、低速側にシフトさせたときオフとなる。図２（ｂ）を参照して説明すると、ＨＳＴレバー９を前進レンジ１７内で中立レンジ１８側から高速側にシフトさせるとき、ＨＳＴレバー９が高速側領域Ｂに達すると、ＨＳＴレバースイッチ２７がオンとなる。逆に、ＨＳＴレバー９を前進レンジ１７内で高速側から中立レンジ１８側にシフトさせるとき、ＨＳＴレバー９が同領域Ｂから出ると、ＨＳＴレバースイッチ２７がオフとなる。このように、ＨＳＴレバースイッチ２７のオン−オフは、ＨＳＴレバー９を前進レンジ１７内でシフトさせることに伴い、自動的に行われる。
【００１９】
実際の田植え作業では、乗用田植機２を例えば一方の畦際に配置し、ＨＳＴレバー９を中立レンジ１８にシフトさせた状態（乗用田植機２が停止状態）で、植付クラッチレバー８を昇降レンジ１３内で「中立１３ｂ」側から「下降１３ｃ」側にシフトさせ（植付部６が下降）、続いてクラッチレンジ１４内を「切り１４ａ」側から「入り１４ｂ」側にシフトさせる。これにより、植付クラッチレバースイッチ２６がオンとなり、さらに植付部６の植付クラッチが入る。次にＨＳＴレバー９を中立レンジ１８から前進レンジ１７に移行させ、徐々に高速側にシフトさせると、乗用田植機２がシフト位置に対応する速度で他方の畦の方向に向けて直線的に前進走行し、植付部６は乗用田植機２の走行速度に応じた速度で苗の植え付けを行う。ＨＳＴレバー９を前進レンジ１７内で一定以上高速側にシフトさせたとき、ＨＳＴレバースイッチ２７がオンとなり、これによりメインスイッチ２５を含む３つのスイッチがオンとなり、米ぬか散布機１の電動モータ２３がバッテリー２４を電源として作動し、前記操出ロータを回転させ、米ぬか散布機１による米ぬかの散布が開始される。
【００２０】
一方、乗用田植機２が他方の畦際に達する直前に、ＨＳＴレバー９を前進レンジ１７の低速側にシフトして乗用田植機２の走行速度を低下させ、続いてＨＳＴレバー９を中立レンジ１７側に戻して乗用田植機２を停止させる。ＨＳＴレバー９が前記領域Ｂから出た時点で、ＨＳＴレバースイッチ２７がオフとなり、米ぬか散布機１による米ぬかの散布は自動的に停止する。続いて植付クラッチレバー８をクラッチレンジ１４の「切り１４ａ」側にシフトさせ、さらに昇降レンジ１３内を「上昇１３ａ」側にシフトさせ、植付部６を上昇させた後、乗用田植機２を旋回させ、再び前記の手順で田植え作業を開始する。
このように、米ぬか散布機１は、米ぬかの散布−停止が自動的に行われ、かつ乗用田植機２の走行速度を一定以下としたとき散布が自動的に停止するので、先に述べたとおり、スイッチの入れ忘れ、切り忘れが防止され、かつ米ぬかの過剰散布を防止することができる。
【００２１】
なお、乗用田植機２において、後輪４に穴あき円板状（ドーナツ形）のホイールキャップ２９が装着されている。
乗用田植機の後輪は一般に車軸を挿入するボス部と、タイヤを有するリム部と、ボス部とリム部を連結するスポーク部からなり、従来より一般にリム部の内側にホイールキャップを装着していない。しかし、特にミッドマウント形の乗用田植機の場合、旋回時や直進時に後輪のリム部の内側に大きい土の固まりが乗り、これが後輪４の回転に伴って上に持ち上げられて落下し、これにより植付直後の苗が潰され、あるいは圃場が荒れて植付不良が生じることがある。また、土の固まりが水面から出ることにより、そこに雑草が生えることがある。
【００２２】
一方、仮に円板状のホイールキャップ（特開２００１−２５３２０１号公報参照）を後輪に装着した場合、乗用田植機は旋回時に旋回する方向の後輪を軸にして旋回（例えば左旋回であれば左側後輪を軸にして旋回）するため、当該後輪のホイールキャップが土を押し、圃場面が掘られ、荒れてしまうことが考えられる。
前記ホイールキャップ２９は、リム部４ａの内側、かつスポーク部４ｂの外側に装着されるもので、前記のとおり穴あき円板状（ドーナツ形）である。このため、旋回時に土を押す面積が穴あきでないホイールキャップに比べて少なく、土が逃げるスペース（穴２９ａ）があり、ホイールキャップ２９により圃場面が掘られて荒れることが抑制される。また、ホイールキャップ２９を装着することにより、リム部の内側に大きい土の固まりが乗ることも抑制され、小さい土の固まりであればホイールキャップ２９の表面を伝ってゆっくり落下し、その間に後輪４が一回転して前記土の固まりが圃場に戻る可能性も大きく、前記土の固まりにより植付直後の苗が潰され、あるいは圃場が荒れて植付不良が生じたり、土の固まりが水面から出ることにより雑草が生えること等が抑制される。
【００２３】
なお、前記米ぬか散布機１において、植付クラッチレバースイッチ２６が、植付クラッチレバー８を昇降レンジ１３の「上昇１３ａ」側から「下降１３ｃ」側にシフトさせたときオンとなり、「下降１３ｃ」側から「上昇１３ａ」側にシフトさせたときオフとなるように設定することもできる。これを図２（ａ）を参照して具体的に説明すると、植付クラッチレバー８を「上昇１３ａ」側から「下降１３ｃ」側にシフトさせるとき、植付クラッチレバー８が「下降１３ｃ」側の領域Ａ１（両矢印で示す）に達すると、植付クラッチレバースイッチ２６がオンとなる。逆に、植付クラッチレバー８を「下降１３ｃ」側から「上昇１３ａ」側にシフトさせるとき、植付クラッチレバー８が前記領域Ａ１から出ると植付クラッチレバースイッチ２６がオフとなる。植付クラッチレバースイッチ２６のオン状態は、植付クラッチレバー８を昇降レンジ１３からクラッチレンジ１４に移行させたときも継続する。
【００２４】
さらに、本発明に係る米ぬか散布機１を、作業部の駆動のない乗用農作業機、例えば周知の乗用除草機（特開２００６−３４０６５２号公報、特開２００５−１８５１１３号公報等参照）に設置することもできる。この乗用除草機は、乗用田植機２と同様に前輪及び後輪を有する本体部を備え、かつ前後輪の間に設置された除草部を備えるミッドマウント型乗用除草機であり、田植え後の除草に適用され、除草時は除草部を下降させて水田を直線的に走行し、旋回時等は除草部を上昇させる。
【００２５】
上記乗用除草機は除草部の昇降を操作する昇降レバー（乗用田植機２における植付クラッチレバー８に相当）と、無段変速装置を操作する変速レバー（乗用田植機２におけるＨＳＴレバー９に相当）を備える。
図４（ａ）に示すように、前記昇降レバー３１はガイド溝３２の昇降レンジ３３内を前後方向に、「上昇３３ａ」側、「中立３３ｂ」又は「下降３３ｃ」側にシフトさせ得るようになっている。図４（ａ）において、昇降レバー３１は昇降レンジ３３内の「下降３３ｃ」側に位置している。
【００２６】
また、図４（ｂ）に示すように、前記変速レバー３４は、ガイド溝３５の後進レンジ３６内又は前進レンジ３７内をいずれも前後方向にシフトさせ得るようになっている。後進レンジ３６と前進レンジ３７の間に中立レンジ３８があり、この中立レンジ３８において変速レバー３４を左右どちらかに倒すことで、後進レンジ３６又は前進レンジ３７に移行することができる。図４（ｂ）において、変速レバー３４は、後進レンジ３６の端の中立レンジ３８内に位置している。後進レンジ３６又は前進レンジ３７内で、変速レバー３４のシフト位置が中立レンジ３８側から離れるほど、前記乗用除草機の後進速度又は前進速度が上昇する。
【００２７】
前記乗用除草機に搭載する米ぬか散布機において、バッテリーと電動モータの間の配線は、呼称に一部違いがあるが実質的に前記米ぬか散布機１と同様であり（図３参照）、バッテリーと電動モータの間に、それぞれ図３のメインスイッチ２５、植付クラッチレバースイッチ２６、ＨＳＴレバースイッチ２７及びリレー装置２８に相当するメインスイッチ、昇降レバースイッチ、変速レバースイッチ及びリレー装置が直列に配置されている。
そして、前記昇降レバースイッチは、図４（ａ）を参照して説明すると、昇降レバー３１を昇降レンジ３３内の「上昇３３ａ」側から「下降３３ｃ」側にシフトさせたときオンとなり、「下降３３ｃ」側から「上昇３３ａ」側にシフトさせたときオフとなる。より詳しくは、昇降レバー３１を「上昇３３ａ」側から「下降３３ｃ」側にシフトさせるとき、昇降レバー３１が「下降３３ｃ」側の領域Ｃ（両矢印で示す）に達すると、前記昇降レバースイッチがオンとなる。逆に、昇降レバー３１を「下降３３ｃ」側から「上昇３３ａ」側にシフトさせるとき、昇降レバー３１が前記領域Ｃから出ると昇降レバー３１がオフとなる。このように、前記昇降レバースイッチのオン−オフは、昇降レバー３１を昇降レンジ３３内で「上昇３３ａ」側と「下降３３ｃ」側の間でシフトさせることに伴い、自動的に行われる。
【００２８】
また、前記変速レバースイッチは、図４（ｂ）を参照して説明すると、変速レバー３４を前進レンジ３７内で一定以上高速側にシフトさせたときオンとなり、低速側にシフトさせたときオフとなる。より詳しくは、変速レバー３４を前進レンジ３７内で中立レンジ３８側から高速側にシフトさせるとき、変速レバー３４が高速側領域Ｄに達すると、前記変速レバースイッチがオンとなる。逆に、変速レバー３４を前進レンジ３７内で高速側から中立レンジ３８側にシフトさせるとき、変速レバー３４が同領域Ｄから出ると、前記変速レバースイッチがオフとなる。このように、前記変速レバースイッチのオン−オフは、変速レバー３４を前進レンジ３７内でシフトさせることに伴い、自動的に行われる。
【符号の説明】
【００２９】
１  米ぬか散布機
２  乗用田植機
６  植付部
８  植付クラッチレバー
９  ＨＳＴレバー
１２，１５  ガイド溝
１３  ガイド溝１２の昇降レンジ
１３ａ  上昇
１３ｂ  中立
１３ｃ  下降
１４  ガイド溝１２のクラッチレンジ
１４ａ  切り
１４ｂ  入り
１６  ガイド溝１５の後進レンジ
１７  ガイド溝１５の前進レンジ
１８  ガイド溝１５の中立レンジ
２１  タンク
２２  繰出ロータのロータ軸
２３  電動モータ
２４  バッテリー
２５  メインスイッチ
２６  植付クラッチレバースイッチ
２７  ＨＳＴレバースイッチ
２８  リレー装置
【図１】
2013243955.tif 000003
【図２】
2013243955.tif 000004
【図３】
2013243955.tif 000005
【図４】
2013243955.tif 000006